(57)【特許請求の範囲】
【請求項１】
ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するためのＰＯＮ方式におけるチャンネル割当方法であって、
前記親機に、前記子機の加入者番号、該子機のＭＡＣアドレス、前記ポートを示すポート情報および前記チャンネル番号が該子機の加入者情報として登録される親機データベース（９０）が接続されており、
前記親機に前記子機が接続されると、該子機のメモリに記憶されているチャンネル番号に基づいて該子機から該親機に該子機のＭＡＣアドレスを通知する第１のステップ（Ｓ１１，Ｓ１２）と、
前記親機が、前記子機から通知された該子機のＭＡＣアドレスを認識したのち、該認識したＭＡＣアドレスに基づいて該子機の加入者情報が前記親機データベースに登録されているか否かを調べる第２のステップ（Ｓ１３〜Ｓ１５）と、
前記親機が、前記子機の加入者情報が前記親機データベースに登録されていなかった場合には、前記ポートの所定の１つのチャンネル番号を該子機のチャンネル番号として認識して、前記ポート情報および該認識した所定の１つのチャンネル番号を該子機のＭＡＣアドレスと対応付けする第３のステップ（Ｓ１６）と、
前記親機と前記子機との間の開通試験を行い、該開通試験が良好に終わった場合には、前記主装置に接続された監視卓（１２）から前記子機の加入者番号を前記親機データベースに登録して、該子機の加入者番号を前記ポート情報および前記認識した所定の１つのチャンネル番号と対応付けする第４のステップ（Ｓ１７，Ｓ１８）と、
前記親機が、前記親機データベースに登録された前記子機の加入者番号および該子機のＭＡＣアドレスを認識して、前記ポートの未使用のチャンネル番号を所定の順番に自動的に該子機に割り当てて、該割り当てた未使用のチャンネル番号を前記ポート情報、該子機の加入者番号および該子機のＭＡＣアドレスと対応付けして該子機の加入者情報として前記親機データベースに登録するとともに、該割り当てた未使用のチャンネル番号を該子機に通知する第５のステップ（Ｓ１９，Ｓ２０）と、
前記子機が、前記親機から通知される前記割り当てた未使用のチャンネル番号を前記メモリに記憶する第６のステップと、
を具備することを特徴とする、ＰＯＮ方式におけるチャンネル割当方法。
【請求項２】
前記親機が、前記第３のステップにおいて前記ポートの最も大きいチャンネル番号を前記子機のチャンネル番号として認識し、前記第５のステップにおいて前記ポートの未使用のチャンネル番号を若番から該子機に自動的に割り当てることを特徴とする、請求項１記載のＰＯＮ方式におけるチャンネル割当方法。
【請求項３】
ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するための、かつ、前記主装置に接続されたサーバ（９１）に前記子機の加入者番号、該子機のＭＡＣアドレス、前記収容局装置が設置された収容局（Ｃ）を特定するための収容局識別子、前記親機を特定するための親機番号、前記ポートを示すポート情報および前記チャンネル番号を該子機の加入者情報として登録するＰＯＮ方式におけるチャンネル割当方法であって、
前記親機に前記子機が接続されると、該子機のメモリに記憶されているチャンネル番号に基づいて該子機から該親機に該子機のＭＡＣアドレスを通知する第１のステップ（Ｓ３１，Ｓ３２）と、
前記親機が、前記子機から通知された該子機のＭＡＣアドレスを認識したのち、該子機に関する前記収容局識別子、前記親機番号および前記ポート情報と前記チャンネル番号と前記認識したＭＡＣアドレスとを該子機の子機情報として前記サーバへ通知する第２のステップ（Ｓ３３〜Ｓ３４）と、
前記サーバが、前記親機から通知された前記子機の子機情報を参照して該子機の加入者情報が該サーバに登録されているか否かを調べる第３のステップ（Ｓ３５）と、
前記サーバが、前記子機の加入者情報が該サーバに登録されていなかった場合には、「開通試験済みでない」旨を前記親機に通知し、該通知を受け取った該親機が、前記ポートの所定の１つのチャンネル番号を前記子機のチャンネル番号として認識して、前記ポート情報および該認識した所定の１つのチャンネル番号を前記子機のＭＡＣアドレスと対応付けする第４のステップ（Ｓ３６）と、
前記親機と前記子機との間の開通試験を行い、該開通試験が良好に終わった場合には、前記主装置に接続された監視卓（１２）から前記子機の加入者番号を前記サーバに入力して、該子機の加入者番号を該子機に関する前記収容局識別子、前記親機番号および前記ポート情報と前記認識した所定の１つのチャンネル番号とに対応付けるとともに該子機のＭＡＣアドレスと対応付ける第５のステップ（Ｓ３８）と、
前記サーバが、前記子機の加入者番号と該子機に関する前記収容局識別子および前記親機番号と該子機のＭＡＣアドレスを認識する第６のステップ（Ｓ３９）と、
前記親機が、前記ポートの未使用のチャンネル番号を所定の順番に自動的に前記子機に割り当てる第７のステップ（Ｓ４０）と、
前記親機が、前記子機に関する前記収容局識別子、前記親機番号および前記ポート情報と前記割り当てた未使用のチャンネル番号と該子機のＭＡＣアドレスとを該子機の子機情報として前記サーバに通知するとともに、前記割り当てた未使用のチャンネル番号を該子機に通知する第８のステップ（Ｓ４１）と、
前記子機が、前記親機から通知される前記割り当てた未使用のチャンネル番号を前記メモリに記憶する第９のステップと、
を具備することを特徴とする、ＰＯＮ方式におけるチャンネル割当方法。
【請求項４】
前記親機が、前記第４のステップにおいて前記ポートの最も大きいチャンネル番号を前記子機のチャンネル番号として認識し、前記第７のステップにおいて前記ポートの未使用のチャンネル番号を若番から該子機に自動的に割り当てることを特徴とする、請求項３記載のＰＯＮ方式におけるチャンネル割当方法。
【請求項５】
ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するための、かつ、前記子機のメモリに該子機の加入者番号を登録するＰＯＮ方式におけるチャンネル割当方法であって、
前記親機に、前記子機の加入者番号、該子機のＭＡＣアドレス、前記ポートを示すポート情報および前記チャンネル番号が該子機の加入者情報として登録される親機データベース（９２）が接続されており、
前記親機に前記子機が接続されると、該子機が、前記メモリに該子機の加入者番号が登録されているか否かを調べ、該メモリに該子機の加入者番号が登録されていなかった場合には、前記メモリに記憶されているチャンネル番号に基づいて前記親機に該子機のＭＡＣアドレスを通知する第１のステップ（Ｓ５１〜Ｓ５３）と、
前記親機が、前記子機から通知された該子機のＭＡＣアドレスを認識したのち、前記ポートの所定の１つのチャンネル番号を該子機に割り当て、前記ポート情報および該割り当てた所定の１つのチャンネル番号を該子機のＭＡＣアドレスと対応付けする第２のステップ（Ｓ５４）と、
前記親機と前記子機との間の開通試験を行い、該開通試験が良好に終わった場合には、前記主装置に接続された監視卓（１２）から前記子機の加入者番号を前記親機を介して該子機に入力する第３のステップ（Ｓ５７）と、
前記子機が、前記入力された該子機の加入者番号を前記メモリに記憶するとともに、該入力された子機の加入者番号、前記割り当てた所定の１つのチャンネル番号および該子機のＭＡＣアドレスを前記親機に通知する第４のステップ（Ｓ５８）と、
前記親機が、前記子機から通知された前記子機の加入者番号、前記割り当てた所定の１つのチャンネル番号および該子機のＭＡＣアドレスを前記親機データベースに登録して、該子機の加入者番号を前記ポート情報および前記割り当てた所定の１つのチャンネル番号と対応付けるとともに該子機のＭＡＣアドレスと対応付けて、該子機の加入者番号および該子機のＭＡＣアドレスを認識する第５のステップ（Ｓ５９）と、
前記親機が、前記ポートの未使用のチャンネル番号を所定の順番に自動的に前記子機に割り当てる第６のステップ（Ｓ６１）と、
前記親機が、前記第６のステップにおいて前記子機に割り当てた前記未使用のチャンネル番号を該子機に通知する第７のステップと、
前記子機が、前記親機から通知される前記割り当てた未使用のチャンネル番号を前記メモリに記憶する第８のステップと、
を具備することを特徴とする、ＰＯＮ方式におけるチャンネル割当方法。
【請求項６】
前記親機が、前記第２のステップにおいて前記ポートの最も大きいチャンネル番号を前記子機に割り当て、前記第６のステップにおいて前記ポートの未使用のチャンネル番号を若番から該子機に自動的に割り当てることを特徴とする、請求項５記載のＰＯＮ方式におけるチャンネル割当方法。
【発明の詳細な説明】
【技術分野】
【０００１】
本発明は、ＰＯＮ方式におけるチャンネル割当方法に関し、特に、ＰＯＮ方式による光通信システムにおける新規開通時の子機へのチャンネル番号の割当ておよびその管理に好適なＰＯＮ方式におけるチャンネル割当方法に関する。
【背景技術】
【０００２】
従来、ＰＯＮ方式による光通信システムでは、チャンネル番号を固定して親機（収容局装置）と子機との間の通信を行うことがなされているが、加入者ごとにチャンネル番号を管理しておかなければならないため、設計システムと管理システムとを別システムにする必要があった。
また、収容変更となった場合には、チャンネル番号が固定されているため、チャンネルを考慮した設計が必要であった。
【０００３】
たとえば、図７に一例を示すようなＰＯＮ方式による光通信システムでは、加入者２’の新規申込により加入者２，２’の数が光ケーブルの心線数を上回った場合には、光ケーブルを増設するか、図８に一例を示すように光ケーブルの途中に光カプラ（第３の光カプラ３3）を増設することにより対処することになる。ここで、光カプラを増設する場合には、親機＃１のＡポートのチャンネル番号“１”，“４”〜“７”（ｃｈ１，ｃｈ４〜ｃｈ７）が割り当てられていた既存の加入者２の子機については収容変更をする必要はないが、親機＃１のＡポートのチャンネル番号“２”，“３”，“８”（ｃｈ２，ｃｈ３，ｃｈ８）が割り当てられていた既存の加入者２の子機については、親機＃１のＢポートに収容変更をする必要が生じる。
【０００４】
このとき、親機＃１のＢポートに加入者の子機がいくつか既に接続されている場合には、これらの子機のチャンネル番号と重複しないように、新規の加入者２’の子機に対して親機＃１のＢポートのチャンネル番号を割り当てる必要がある。たとえば、親機＃１のＢポートの最大３２チャンネルのうちのｃｈ１〜ｃｈ４しか子機に割り当てられていない場合でも、親機＃１のＡポートのｃｈ２およびｃｈ３が割り当てられていた既存の加入者２の子機については、同じチャンネル番号を親機＃１のＢポートに割り当てるとチャンネル番号が重複するため、親機＃１のＢポートに空のチャンネル番号があっても親機を新たに増設する必要がある。
【０００５】
そのため、かかる問題を解決する方法として、子機のチャンネル番号を自動的に割り当てることが行われている。
【０００６】
なお、下記の特許文献１には、各ノードでアドされる信号光の伝送特性の劣化を抑制するために、送信器、受信器およびＡＤＭを備え、送信器とＡＤＭとの間に光ファイバが設けられ、ＡＤＭとＡＤＭとの間に他の光ファイバが設けられ、ＡＤＭと受信器との間に更に他の光ファイバが設けられており、送信器から送出されＡＤＭより光伝送路へアドされる信号光のチャンネルとしては、ＡＤＭでアドすることが可能なチャンネルのうち、Ａ点から受信器までの累積分散量の絶対値が最も小さいチャンネルの信号光を割り当てる光通信システムおよび信号チャンネル割当管理方法が開示されている。
また、下記の特許文献２には、回線開通時において実施する通信回線の試験を人手を介さずかつ自律的に迅速にかつ所要の稼動を低減させて実施可能にするために、交換設備において、パスがそれまでの増設閉塞状態から運用状態に変わったことを検出してパス試験の終了を検出し、そのことを交換設備オペレーションシステムに通知し、交換設備オペレーションシステムでデータベースを検索して、そのパスに対応する試験すべき通信回線を求め、試験オーダを作成して交換設備に送り、回線試験実行部を自律的に起動させる回線開通試験方法が開示されている。
【特許文献１】特開２００１−１６０７８１号公報
【特許文献２】特開平７−１５４４７７号公報
【発明の開示】
【発明が解決しようとする課題】
【０００７】
しかしながら、上述した子機へのチャンネル自動割当は、親機が子機のＭＡＣアドレス（固有の物理アドレス）を用いてチャンネル番号を割り当てているために子機のＭＡＣアドレスの管理が必要となるが、子機のＭＡＣアドレスは工事の際に現場の工事会社の作業員からの聞取りなどでしか確認することができないので、子機のＭＡＣアドレスの管理を確実に行うことができないという問題があった。
【０００８】
本発明の目的は、子機へのチャンネル自動割当を行っても子機のＭＡＣアドレスを確実に管理することができるＰＯＮ方式におけるチャンネル割当方法を提供することにある。
【課題を解決するための手段】
【０００９】
本発明の第１のＰＯＮ方式におけるチャンネル割当方法は、ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するためのＰＯＮ方式におけるチャンネル割当方法であって、前記親機に、前記子機の加入者番号、該子機のＭＡＣアドレス、前記ポートを示すポート情報および前記チャンネル番号が該子機の加入者情報として登録される親機データベース（９０）が接続されており、前記親機に前記子機が接続されると、該子機のメモリに記憶されているチャンネル番号に基づいて該子機から該親機に該子機のＭＡＣアドレスを通知する第１のステップ（Ｓ１１，Ｓ１２）と、前記親機が、前記子機から通知された該子機のＭＡＣアドレスを認識したのち、該認識したＭＡＣアドレスに基づいて該子機の加入者情報が前記親機データベースに登録されているか否かを調べる第２のステップ（Ｓ１３〜Ｓ１５）と、前記親機が、前記子機の加入者情報が前記親機データベースに登録されていなかった場合には、前記ポートの所定の１つのチャンネル番号を該子機のチャンネル番号として認識して、前記ポート情報および該認識した所定の１つのチャンネル番号を該子機のＭＡＣアドレスと対応付けする第３のステップ（Ｓ１６）と、前記親機と前記子機との間の開通試験を行い、該開通試験が良好に終わった場合には、前記主装置に接続された監視卓（１２）から前記子機の加入者番号を前記親機データベースに登録して、該子機の加入者番号を前記ポート情報および前記認識した所定の１つのチャンネル番号と対応付けする第４のステップ（Ｓ１７，Ｓ１８）と、前記親機が、前記親機データベースに登録された前記子機の加入者番号および該子機のＭＡＣアドレスを認識して、前記ポートの未使用のチャンネル番号を所定の順番に自動的に該子機に割り当てて、該割り当てた未使用のチャンネル番号を前記ポート情報、該子機の加入者番号および該子機のＭＡＣアドレスと対応付けして該子機の加入者情報として前記親機データベースに登録するとともに、該割り当てた未使用のチャンネル番号を該子機に通知する第５のステップ（Ｓ１９，Ｓ２０）と、前記子機が、前記親機から通知される前記割り当てた未使用のチャンネル番号を前記メモリに記憶する第６のステップとを具備することを特徴とする。
ここで、前記親機が、前記第３のステップにおいて前記ポートの最も大きいチャンネル番号を前記子機のチャンネル番号として認識し、前記第５のステップにおいて前記ポートの未使用のチャンネル番号を若番から該子機に自動的に割り当ててもよい。
本発明の第２のＰＯＮ方式におけるチャンネル割当方法は、ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するための、かつ、前記主装置に接続されたサーバ（９１）に前記子機の加入者番号、該子機のＭＡＣアドレス、前記収容局装置が設置された収容局（Ｃ）を特定するための収容局識別子、前記親機を特定するための親機番号、前記ポートを示すポート情報および前記チャンネル番号を該子機の加入者情報として登録するＰＯＮ方式におけるチャンネル割当方法であって、前記親機に前記子機が接続されると、該子機のメモリに記憶されているチャンネル番号に基づいて該子機から該親機に該子機のＭＡＣアドレスを通知する第１のステップ（Ｓ３１，Ｓ３２）と、前記親機が、前記子機から通知された該子機のＭＡＣアドレスを認識したのち、該子機に関する前記収容局識別子、前記親機番号および前記ポート情報と前記チャンネル番号と前記認識したＭＡＣアドレスとを該子機の子機情報として前記サーバへ通知する第２のステップ（Ｓ３３〜Ｓ３４）と、前記サーバが、前記親機から通知された前記子機の子機情報を参照して該子機の加入者情報が該サーバに登録されているか否かを調べる第３のステップ（Ｓ３５）と、前記サーバが、前記子機の加入者情報が該サーバに登録されていなかった場合には、「開通試験済みでない」旨を前記親機に通知し、該通知を受け取った該親機が、前記ポートの所定の１つのチャンネル番号を前記子機のチャンネル番号として認識して、前記ポート情報および該認識した所定の１つのチャンネル番号を前記子機のＭＡＣアドレスと対応付けする第４のステップ（Ｓ３６）と、前記親機と前記子機との間の開通試験を行い、該開通試験が良好に終わった場合には、前記主装置に接続された監視卓（１２）から前記子機の加入者番号を前記サーバに入力して、該子機の加入者番号を該子機に関する前記収容局識別子、前記親機番号および前記ポート情報と前記認識した所定の１つのチャンネル番号とに対応付けるとともに該子機のＭＡＣアドレスと対応付ける第５のステップ（Ｓ３８）と、前記サーバが、前記子機の加入者番号と該子機に関する前記収容局識別子および前記親機番号と該子機のＭＡＣアドレスを認識する第６のステップ（Ｓ３９）と、前記親機が、前記ポートの未使用のチャンネル番号を所定の順番に自動的に前記子機に割り当てる第７のステップ（Ｓ４０）と、前記親機が、前記子機に関する前記収容局識別子、前記親機番号および前記ポート情報と前記割り当てた未使用のチャンネル番号と該子機のＭＡＣアドレスとを該子機の子機情報として前記サーバに通知するとともに、前記割り当てた未使用のチャンネル番号を該子機に通知する第８のステップ（Ｓ４１）と、前記子機が、前記親機から通知される前記割り当てた未使用のチャンネル番号を前記メモリに記憶する第９のステップとを具備することを特徴とする。
ここで、前記親機が、前記第４のステップにおいて前記ポートの最も大きいチャンネル番号を前記子機のチャンネル番号として認識し、前記第７のステップにおいて前記ポートの未使用のチャンネル番号を若番から該子機に自動的に割り当ててもよい。
本発明の第３のＰＯＮ方式におけるチャンネル割当方法は、ＰＯＮ方式の光通信システムにおいて監視個所の主装置（１１）に接続された収容局装置（４０）の親機（４１1）のポートと光カプラ（６０1）を介して新規に接続される子機（７０11）にチャンネル番号を自動的に割り当てて管理するための、かつ、前記子機のメモリに該子機の加入者番号を登録するＰＯＮ方式におけるチャンネル割当方法であって、前記親機に、前記子機の加入者番号、該子機のＭＡＣアドレス、前記ポートを示すポート情報および前記チャンネル番号が該子機の加入者情報として登録される親機データベース（９２）が接続されており、前記親機に前記子機が接続されると、該子機が、前記メモリに該子機の加入者番号が登録されているか否かを調べ、該メモリに該子機の加入者番号が登録されていなかった場合には、前記メモリに記憶されているチャンネル番号に基づいて前記親機に該子機のＭＡＣアドレスを通知する第１のステップ（Ｓ５１〜Ｓ５３）と、前記親機が、前記子機から通知された該子機のＭＡＣアドレスを認識したのち、前記ポートの所定の１つのチャンネル番号を該子機に割り当て、前記ポート情報および該割り当てた所定の１つのチャンネル番号を該子機のＭＡＣアドレスと対応付けする第２のステップ（Ｓ５４）と、前記親機と前記子機との間の開通試験を行い、該開通試験が良好に終わった場合には、前記主装置に接続された監視卓（１２）から前記子機の加入者番号を前記親機を介して該子機に入力する第３のステップ（Ｓ５７）と、前記子機が、前記入力された該子機の加入者番号を前記メモリに記憶するとともに、該入力された子機の加入者番号、前記割り当てた所定の１つのチャンネル番号および該子機のＭＡＣアドレスを前記親機に通知する第４のステップ（Ｓ５８）と、前記親機が、前記子機から通知された前記子機の加入者番号、前記割り当てた所定の１つのチャンネル番号および該子機のＭＡＣアドレスを前記親機データベースに登録して、該子機の加入者番号を前記ポート情報および前記割り当てた所定の１つのチャンネル番号と対応付けるとともに該子機のＭＡＣアドレスと対応付けて、該子機の加入者番号および該子機のＭＡＣアドレスを認識する第５のステップ（Ｓ５９）と、前記親機が、前記ポートの未使用のチャンネル番号を所定の順番に自動的に前記子機に割り当てる第６のステップ（Ｓ６１）と、前記親機が、前記第６のステップにおいて前記子機に割り当てた前記未使用のチャンネル番号を該子機に通知する第７のステップと、前記子機が、前記親機から通知される前記割り当てた未使用のチャンネル番号を前記メモリに記憶する第８のステップとを具備することを特徴とする。
ここで、前記親機が、前記第２のステップにおいて前記ポートの最も大きいチャンネル番号を前記子機に割り当て、前記第６のステップにおいて前記ポートの未使用のチャンネル番号を若番から該子機に自動的に割り当ててもよい。
【発明の効果】
【００１０】
本発明のＰＯＮ方式におけるチャンネル割当方法は、以下の効果を奏する。
（１）子機のＭＡＣアドレスと子機の加入者番号とを自動変換することにより、子機へのチャンネル自動割当を行っても子機のＭＡＣアドレスを確実に管理することができる。
（２）回線断などが生じた場合でも子機のＭＡＣアドレスを転記する必要がなくなるため、トラブルシューティングが早くなる。
【発明を実施するための最良の形態】
【００１１】
上記の目的を、子機から親機に子機のＭＡＣアドレスを通知し、子機のＭＡＣアドレスと子機の加入者番号とを自動変換し、子機にチャンネル番号が割り当てられていない場合には、親機がポートの未使用のチャンネル番号を所定の順番に子機に自動的に割り当てることにより実現した。
【実施例１】
【００１２】
以下、本発明のＰＯＮ方式におけるチャンネル割当方法の実施例について、図面を参照して説明する。
なお、図１，図３および図５に示すように、監視箇所に設けられた主装置１１と収容局Ｂの収容局装置３０を介して接続された収容局Ｃの収容局装置４０の親機４１1のＡポートに光カプラ６０1を介して子機７０11（子機７０11にはパーソナルコンピュータ（ＰＣ）８０が接続されている。）を接続する場合を例として説明する。
また、収容局Ｃの収容局装置４０に接続された親機４１1〜４１nの１つのポート（ＡポートまたはＢポート）にそれぞれ接続可能な子機の最大数は“３２”（すなわち、最大チャンネル数＝３２）とする。したがって、たとえば図１において親機４１1のＡポートに接続される子機７０11〜７０1Nの最大数は “３２”となり、子機７０11〜７０1Nにはチャンネル番号“１”〜“３２”のうちの１つが重複することなくそれぞれ割り当てられる。
さらに、収容局Ａ，Ｂ，Ｃには、収容局識別子として“Ａ”，“Ｂ”および“Ｃ”がそれぞれ付けられており、収容局Ｃの収容局装置４０に接続されている親機４１1〜４１nには、親機識別子として親機番号“１”〜“ｎ”が付けられているとする。
【００１３】
まず、本発明の第１の実施例によるＰＯＮ方式におけるチャンネル割当方法について、図１および図２を参照して説明する。
本実施例によるＰＯＮ方式におけるチャンネル割当方法は、親機によって加入者番号と子機のＭＡＣアドレスとを自動変換することによりチャンネル割当管理を行うものである。
【００１４】
各親機には、ポート情報、チャンネル番号、ＭＡＣアドレスおよび加入者番号が加入者情報として子機ごとに登録される親機データベースが接続されている。たとえば、加入者番号が“○○”でありＭＡＣアドレスが“□．□．△．△”である子機７０11に親機４１1のＡポートのチャンネル番号“１”が割り当てられた場合には、親機４１1に接続された親機データベース（親機ＤＢ）９０には、表１に示すように、子機７０11についてポート情報＝Ａ、チャンネル番号（ｃｈ）＝１、ＭＡＣアドレス＝□．□．△．△および加入者番号＝○○が登録されることにより、子機７０11の加入者情報（加入者番号“○○”＝Ａポート−チャンネル番号“１”＝ＭＡＣアドレス“□．□．△．△”）が登録される。
【表１】
0004671906.tif 000002
【００１５】
したがって、主装置１１に接続された監視卓１２から「加入者番号」と「収容局識別子」と「親機番号」と「ポート情報」とを入力することにより、親機データベース９０に格納されている子機のチャンネル番号およびＭＡＣアドレスの検索ができるようになっている。また、たとえば子機７０11に障害が発生したときの確認は、該当する親機４１1に対して監視卓１２から子機７０11の加入者番号“○○”を入力し、該当する子機７０11のチャンネル番号“１”を親機４１1が親機データベース９０から検索して監視卓１２に送り返すことにより行うことができる。
なお、子機７０11〜７０1Nは、親機４１1からチャンネル番号が通知されると、通知されたチャンネル番号を内蔵のメモリ（不図示）に記憶し、以後はこのチャンネル番号に基づいて親機４１1との間の通信を行う。
【００１６】
親機４１1に子機７０11が接続されると（図２のステップＳ１１）、子機７０11は、自身のＭＡＣアドレス“□．□．△．△”を親機４１1に光ケーブルを介して通知する（ステップＳ１２）。このとき、子機７０11は、チャンネル番号“１”がメモリに記憶されている場合には、チャンネル番号“１”に基づいてＭＡＣアドレス“□．□．△．△”を親機４１1に通知する。
親機４１1は、子機７０11から送信されてきたＭＡＣアドレス“□．□．△．△”を認識したのち（ステップＳ１３）、親機データベース９０に登録されている子機７０11の加入者情報を確認して（ステップＳ１４）、子機７０11の加入者情報が登録されているか否かを調べる（ステップＳ１５）。
【００１７】
その結果、子機７０11の加入者情報が親機データベース９０に登録されていた場合には、親機４１1は、子機７０11に対して既に登録されているチャンネル番号“１”（ｃｈ１）を子機７０11に割り当てたのちに（ステップＳ２４）、接続状態の良否判定処理を行う（ステップＳ２５）。
【００１８】
その結果、接続状態が良好であれば、開通処理が行われる（ステップＳ２６）。
一方、接続状態が良好でなければ、不良箇所の特定が行われたのち（ステップＳ２７）、子機７０11に対する再接続が行われ（ステップＳ２８）、ステップＳ１２からの処理が繰り返される。
【００１９】
上述したステップＳ１５において子機７１11の加入者情報が親機データベース９０に登録されていなかった場合には、子機７０11に対して新規開通処理を行うため、親機４１1は、ステップＳ１６においてＡポートの最も大きいチャンネル番号“３２”（ｃｈ３２）を子機７０11のチャンネル番号として認識する。その結果、「Ａポート−チャンネル番号“３２”＝ＭＡＣアドレス“□．□．△．△”」という対応付けがなされる。
【００２０】
その後、開通試験処理が行われる（ステップＳ１７）。
その結果、開通試験が良好に終わった場合には、子機７０11の加入者番号“○○”が監視卓１２から親機データベース９０に登録される（ステップＳ１８）。これにより、「加入者番号“○○”＝収容局Ｃ−親機４１1−Ａポート−チャンネル番号“３２”」という対応付けがなされる。
【００２１】
その後、親機４１1は、親機データベース９０に登録された子機７０11の加入者番号“○○”および子機７０11のＭＡＣアドレス“□．□．△．△”を認識する（ステップＳ１９）。これにより、子機７０11の加入者番号“○○”と子機７０11のＭＡＣアドレス“□．□．△．△”とを自動変換することができる。
【００２２】
その後、親機４１1は、未使用のチャンネル番号（空ｃｈ）を若番から（チャンネル番号の小さい順に）子機７０11に自動的に割り当てる（ステップＳ２０）。これにより、たとえばチャンネル番号“５”が子機７０11に自動的に割り当てられた場合には、「ＭＡＣアドレス“□．□．△．△”＝Ａポート−チャンネル番号“５”」という対応付けがなされる。
【００２３】
その後、親機４１1は、子機７０11に自動的に割り当てたチャンネル番号“５”を子機７０11の加入者番号“○○”および子機７０11のＭＡＣアドレス“□．□．△．△”と対応させて親機データベース９０に登録するとともに（ステップＳ２１）、子機７０11に割り当てたチャンネル番号“５”を子機７０11に通知する。子機７０11は、親機４１1から通知されたチャンネル番号“５”をメモリに記憶する。
その後、子機７０11に対する再接続が行われたのち（ステップＳ２３）、ステップＳ１２からの処理が繰り返される。
【００２４】
一方、上述したステップＳ１７の開通試験が良好でなかった場合には、不良箇所の特定が行われたのち（ステップＳ２２）、子機７０11に対する再接続が行われ（ステップＳ２３）、ステップＳ１２からの処理が繰り返される。
【実施例２】
【００２５】
次に、本発明の第２の実施例によるＰＯＮ方式におけるチャンネル割当方法について、図３および図４を参照して説明する。
本実施例によるＰＯＮ方式におけるチャンネル割当方法は、主装置に接続されたサーバによって加入者番号と子機のＭＡＣアドレスとを自動変換することによりチャンネル割当管理を行うものである。
【００２６】
サーバには、加入者番号、ＭＡＣアドレス、収容局識別子、親機番号、ポート情報およびチャンネル番号（ｃｈ）が加入者情報として子機ごとに登録されている。たとえば、加入者番号が“○○”でありＭＡＣアドレスが“□．□．△．△”である子機７０11に収容局Ｃの親機４１1（親機番号“１”）のＡポートのチャンネル番号“１”が割り当てられた場合には、主装置１１に接続されたサーバ９１には、表２に示すように、子機７０11について加入者番号＝○○、ＭＡＣアドレス＝□．□．△．△、収容局識別子＝Ｃ、親機番号＝１、ポート情報＝Ａおよびチャンネル番号（ｃｈ）＝１が登録されることにより、子機７０11の加入者情報（加入者番号“○○”＝収容局Ｃ−親機４１1−Ａポート−チャンネル番号“１”＝ＭＡＣアドレス“□．□．△．△”）が登録される。
【表２】
0004671906.tif 000003
【００２７】
したがって、主装置１１に接続された監視卓１２から「加入者番号」または「収容局識別子」と「親機番号」と「ポート情報」と「チャンネル番号」とを入力することにより、サーバ９１に格納されている加入者情報の検索が可能となっている。また、たとえば子機７０11に障害が発生したときの確認は、サーバ９１に対して監視卓１２から加入者番号“○○”を入力し、該当する子機７０11の収容局識別子“Ｃ”、親機番号“１”、ポート情報“Ａ”およびチャンネル番号“１”をサーバ９１から監視卓１２に送り返すことにより行うことができる。
なお、子機７０11〜７０1Nは、親機４１1からチャンネル番号が通知されると、通知されたチャンネル番号を内蔵のメモリ（不図示）に記憶し、以後はこのチャンネル番号に基づいて親機４１1との間の通信を行う。
【００２８】
親機４１1に子機７０11が接続されると（図４のステップＳ３１）、子機７０11は、自身のＭＡＣアドレス“□．□．△．△”を親機４１1に光ケーブルを介して通知する（ステップＳ３２）。このとき、子機７０11は、チャンネル番号“１”がメモリに記憶されている場合には、チャンネル番号“１”に基づいてＭＡＣアドレス“□．□．△．△”を親機４１1に通知する。
親機４１1は、子機７０11から送信されてきたＭＡＣアドレス“□．□．△．△”を認識したのち（ステップＳ３３）、子機７０11の収容局識別子“Ｃ”、親機番号“１”、ポート情報“Ａ”、チャンネル番号“１”およびＭＡＣアドレス“□．□．△．△”を子機７０11の子機情報としてサーバ９１に通知する（ステップＳ３４）。
サーバ９１は、親機４１1から通知された子機７０11の子機情報を参照して子機７０11の加入者情報が登録されているか否かを調べる（ステップＳ３５）。
【００２９】
その結果、子機７０11の加入者情報が登録されていた場合には、サーバ９１は、「開通試験済みである」旨を親機４１1に通知する。親機４１1は、「開通試験済みである」旨の通知をサーバ９１から受け取ると、子機７０11に対して既に割り当てられているチャンネル番号“１”を子機７０11に割り当てたのち（ステップＳ４４）、接続状態の良否判定処理を行う（ステップＳ４５）。
【００３０】
その結果、接続状態が良好であれば、開通処理が行われる（ステップＳ４６）。
一方、接続状態が良好でなければ、不良箇所の特定が行われたのち（ステップＳ４７）、子機７０11に対する再接続が行われて（ステップＳ４８）、ステップＳ３２からの処理が繰り返される。
【００３１】
上述したステップＳ３５において子機７０11の加入者情報がサーバ９１に登録されていなかった場合には、サーバ９１は、「開通試験済みでない」旨を親機４１1に通知する。親機４１1は、「開通試験済みでない」旨の通知をサーバ９１から受け取ると、子機７０11に対して新規開通処理を行うために、ステップＳ３６においてＡポートの最も大きいチャンネル番号“３２”を子機７０11のチャンネル番号として認識する。その結果、「Ａポート−チャンネル番号“３２”＝ＭＡＣアドレス“□．□．△．△”」という対応付けがなされる。
【００３２】
その後、開通試験処理が行われる（ステップＳ３７）。
その結果、開通試験が良好に終わった場合には、子機７０11の加入者番号“○○”が監視卓１２からサーバ９１に入力される（ステップＳ３８）。これにより、「加入者番号“○○”＝収容局Ｃ−親機４１1−Ａポート−チャンネル番号“３２”＝ＭＡＣアドレス“□．□．△．△”」という対応付けがなされる。
なお、サーバ９１は、回線断または子機７０11の電源断が生じても子機７０11の加入者番号“○○”および子機７０11のＭＡＣアドレス“□．□．△．△”は保存したままとしておく。
【００３３】
その後、サーバ９１は、子機７０11の加入者番号“○○”、収容局情報（収容局Ｃおよび親機４１1）およびＭＡＣアドレス“□．□．△．△”を認識する（ステップＳ３９）。この場合には、サーバ９１は、「加入者番号“○○”＝ＭＡＣアドレス“□．□．△．△”」と認識する。これにより、子機７０11の加入者番号“○○”と子機７０11のＭＡＣアドレス“□．□．△．△”とを自動変換することができる。
【００３４】
その後、親機４１1は、未使用のチャンネル番号（空ｃｈ）を若番から（チャンネル番号の小さい順に）子機７０11に自動的に割り当てる（ステップＳ４０）。これにより、たとえばチャンネル番号“５”が子機７０11に自動的に割り当てられた場合には、「ＭＡＣアドレス“□．□．△．△”＝Ａポート−チャンネル番号“５”」という対応付けがなされる。
【００３５】
その後、親機４１1は、子機７０11の子機情報として「収容局識別子“Ｃ”、親機４１1の親機番号“１”、ポート情報“Ａ”、チャンネル番号“５”＝子機７０11のＭＡＣアドレス“□．□．△．△”」をサーバ９１に通知するとともに（ステップＳ４１）、割り当てたチャンネル番号“５”を子機７０11に通知する。子機７０11は、親機４１1から通知されたチャンネル番号“５”をメモリに記憶する。
その後、子機７０11に対する再接続が行われたのち（ステップＳ４３）、ステップＳ３２からの処理が繰り返される。
【００３６】
一方、上述したステップＳ３７の開通試験が良好でなかった場合には、不良箇所の特定が行われたのち（ステップＳ４２）、子機７０11に対する再接続が行われ（ステップＳ４３）、ステップＳ３２からの処理が繰り返される。
【実施例３】
【００３７】
次に、本発明の第３の実施例によるＰＯＮ方式におけるチャンネル割当方法について、図５および図６を参照して説明する。
本実施例によるＰＯＮ方式におけるチャンネル割当方法は、子機のメモリに加入者番号を登録して親機によって加入者番号と子機のＭＡＣアドレスとを自動変換することによりチャンネル割当管理を行うものである。
【００３８】
各親機には、ポート情報、チャンネル番号、ＭＡＣアドレスおよび加入者番号が加入者情報として子機ごとに登録される親機データベースが接続されている。たとえば、加入者番号が“○○”でありＭＡＣアドレスが“□．□．△．△”である子機７０11に親機４１1のＡポートのチャンネル番号“１”が割り当てられた場合には、親機４１1に接続された親機データベース（親機ＤＢ）９２には、表３に示すように、子機７０11の加入者情報としてポート情報＝Ａ、チャンネル番号（ｃｈ）＝１、ＭＡＣアドレス＝□．□．△．△および加入者番号＝○○が登録される。
【表３】
0004671906.tif 000004
【００３９】
したがって、主装置１１に接続された監視卓１２から「加入者番号」と「収容局識別子」と「親機番号」と「ポート情報」とを入力することにより、親機データベース９２に格納されている加入者情報の検索が可能となっている。また、たとえば子機７０11に障害が発生したときの確認は、該当する親機４１1に対して監視卓１２から加入者番号“○○”を入力し、該当する子機７０11のポート情報“Ｃ”およびチャンネル番号“１”を親機データベース９２から監視卓１２に送り返すことにより行うことができる。
なお、子機７０11〜７０1Nは、親機４１1から加入者番号およびチャンネル番号が通知されると、通知された加入者番号およびチャンネル番号を内蔵のメモリ（不図示）に記憶する。また、子機７０11〜７０1Nは、以後は、メモリに記憶したチャンネル番号に基づいて親機４１1との間の通信を行う。
【００４０】
親機４１1に子機７０11が接続されると（図６のステップＳ５１）、子機７０11は、加入者番号“○○”がメモリに登録されているか否かを調べる（ステップＳ５２）。
その結果、加入者番号“○○”がメモリに登録されていた場合には、開通試験済みであるため、子機７０11は、加入者番号“○○”およびＭＡＣアドレス“□．□．△．△”を親機４１1に光ケーブルを介して通知する（ステップＳ６６）。このとき、子機７０11は、たとえばチャンネル番号“１”がメモリに記憶されていた場合には、チャンネル番号“１”に基づいて加入者番号“○○”およびＭＡＣアドレス“□．□．△．△”を親機４１1に通知する。
親機４１1は、子機７０11から送信されてきた加入者番号“○○”およびＭＡＣアドレス“□．□．△．△”を認識したのち（ステップＳ６７）、親機データベース９０に登録されている子機７０11の加入者情報（ポート情報“Ａ”、チャンネル番号“１”、ＭＡＣアドレス“□．□．△．△”および加入者番号“○○”）を確認したのち（ステップＳ６８）、登録済みのチャンネル番号“１”を子機７０11に割り当てる（ステップＳ６９）。
【００４１】
その後、親機４１1は、子機７０11について、接続状態の良否判定処理を行う（ステップＳ７０）。
その結果、接続状態が良好であれば、開通処理が行われる（ステップＳ７１）。
一方、接続状態が良好でなければ、不良箇所が特定されたのち（ステップＳ７２）、子機７０11に対する再接続が行われ（ステップＳ７３）、ステップＳ５２からの処理が繰り返される。
【００４２】
上述したステップＳ５２において加入者番号“○○”が子機７０11のメモリに登録されていなかった場合には、子機７０11は、自身のＭＡＣアドレス“□．□．△．△”を親機４１1に通知する（ステップＳ５３）。親機４１1は、子機７０11から受け取ったＭＡＣアドレス“□．□．△．△”を認識したのち（ステップＳ５４）、ステップＳ５５においてＡポートの最も大きいチャンネル番号“３２”を子機７０11に割り当てる。そして、親機４１1は、「Ａポート−チャンネル番号“３２”＝ＭＡＣアドレス“□．□．△．△”」として、子機７０11のチャンネル番号“３２”を認識する。
【００４３】
その後、開通試験処理が行われる（ステップＳ５６）。
その結果、開通試験が良好に終わった場合には、子機７０11の加入者番号“○○”が監視卓１２から子機７０11に入力される（ステップＳ５７）。
子機７０11は、監視卓１２から入力された加入者番号“○○”をメモリに記憶するとともに、加入者番号“○○”、チャンネル番号“３２”およびＭＡＣアドレス“□．□．△．△”を親機４１1に通知する（ステップＳ５８）。なお、子機７０11は、回線断または子機７０11の電源断が生じても子機７０11の加入者番号“○○”はメモリに保存したままとしておく。
親機４１1は、子機７０11から通知された加入者番号“○○”、チャンネル番号“３２”およびＭＡＣアドレス“□．□．△．△”を親機データベース９２に登録する。これにより、「加入者番号“○○”＝Ａポート−チャンネル番号“３２”＝ＭＡＣアドレス“□．□．△．△”」という対応付けがなされる。
【００４４】
その後、親機４１1は、子機７０11の加入者番号“○○”およびＭＡＣアドレス“□．□．△．△”を認識する（ステップＳ５９）。これにより、子機７０11の加入者番号“○○”と子機７０11のＭＡＣアドレス“□．□．△．△”とを自動変換することができる。
【００４５】
その後、親機４１1は、チャンネル番号“１”〜“３１”（ｃｈ１〜ｃｈ３２）に空きがあるか否かを調べる（ステップＳ６０）。
その結果、チャンネル番号“１”〜“３１”に空きがあった場合には、親機４１1は、未使用のチャンネル番号（空ｃｈ）を若番から（チャンネル番号の小さい順に）子機７０11に自動的に割り当てる（ステップＳ６１）。これにより、たとえばチャンネル番号“５”が子機７０11に割り当てられた場合には、「ＭＡＣアドレス“□．□．△．△”＝Ａポート−チャンネル番号“５”」という対応付けがなされる。
一方、チャンネル番号“１”〜“３１”に空きがなかった場合には、親機４１1は、チャンネル番号“３２”を子機７０11に割り当てる（ステップＳ６２）。この場合には、「ＭＡＣアドレス“□．□．△．△”＝Ａポート−チャンネル番号“３２”」という対応付けがなされる。
親機４１1は、割り当てたチャンネル番号“５”または“３２”を子機７０11に通知する。子機７０11は、親機４１1から通知されたチャンネル番号“５” または“３２”をメモリに記憶する。
【００４６】
また、親機４１1は、子機７０11に割り当てたチャンネル番号“５”または“３２”を親機データベース９２に登録する（ステップＳ６３）。その後、子機７０11に対する再接続が行われ（ステップＳ７３）、ステップＳ５２からの処理が繰り返される。
【００４７】
一方、上述したステップＳ５６の開通試験が良好でなかった場合には、不良箇所の特定が行われたのち（ステップＳ６４）、子機７０11に対する再接続が行われ（ステップＳ６５）、ステップＳ５２からの処理が繰り返される。
【００４８】
なお、上述したステップＳ５７〜Ｓ５９では、親機４１1は子機７０11のＭＡＣアドレス“□．□．△．△”を既に認識しているため（ステップＳ５４参照）、加入者番号のみを監視卓１２から親機４１1に入力したのちに親機４１1から子機７０11に入力してもよいし、加入者番号のみを監視卓１２から親機４１1および子機７０11に入力してもよい。
【００４９】
以上の説明においては、子機７０11にチャンネル番号が割り当てられていない場合には、親機４１1が、Ａポートの最も大きいチャンネル番号“３２”を子機７０11に自動的に割り当てたのちに親機４１1と子機７０11との間の開通試験を行うとともに、Ａポートの未使用のチャンネル番号を若番から子機７０11に自動的に割り当てたが、たとえば、親機４１1が、Ａポートの最も小さいチャンネル番号“１”を子機７０11に自動的に割り当てたのちに親機４１1と子機７０11との間の開通試験を行うとともに、Ａポートの未使用のチャンネル番号を最も大きいチャンネル番号から順番に子機７０11に自動的に割り当てるようにしてもよい。
【産業上の利用可能性】
【００５０】
以上説明したように、本発明のＰＯＮ方式におけるチャンネル割当方法は、たとえば、ＰＯＮ方式による光通信システムにおける新規開通時の子機へのチャンネル番号の割当ておよびその管理に利用することができる。
【図面の簡単な説明】
【００５１】
【図１】本発明の第１の実施例によるＰＯＮ方式におけるチャンネル割当方法を説明するためのシステム構成図である。
【図２】本発明の第１の実施例によるＰＯＮ方式におけるチャンネル割当方法を説明するためのフローチャートである。
【図３】本発明の第２の実施例によるＰＯＮ方式におけるチャンネル割当方法を説明するためのシステム構成図である。
【図４】本発明の第２の実施例によるＰＯＮ方式におけるチャンネル割当方法を説明するためのフローチャートである。
【図５】本発明の第３の実施例によるＰＯＮ方式におけるチャンネル割当方法を説明するためのシステム構成図である。
【図６】本発明の第３の実施例によるＰＯＮ方式におけるチャンネル割当方法を説明するためのフローチャートである。
【図７】ＰＯＮ方式による光通信システムにおいて加入者の新規申込により加入者の数が光ケーブルの心線数を上回った場合の一例を示す図である。
【図８】図７に示した場合において光ケーブルの途中に光カプラを増設することにより対処する一例を説明するための図である。
【符号の説明】
【００５２】
１１  主装置
１２  監視卓
２０，３０，４０  収容局装置
２１1〜２１n，４１1〜４１n  親機
６０1，６０m  光カプラ
７０11〜７０1N，７０m1〜７０mN  子機
８０  ＰＣ
９０，９２  親機データベース
９１  サーバ
Ｓ１１〜Ｓ２８，Ｓ３１〜Ｓ４８，Ｓ５１〜Ｓ７３  ステップ
【図１】
0004671906.tif 000005
【図２】
0004671906.tif 000006
【図３】
0004671906.tif 000007
【図４】
0004671906.tif 000008
【図５】
0004671906.tif 000009
【図６】
0004671906.tif 000010
【図７】
0004671906.tif 000011
【図８】
0004671906.tif 000012